(57)【要約】      （修正有）【課題】よりシンプルな構成で、迅速且つ低コスト且つ教室の美観を損ねることなく、プロジェクター一体型電子黒板ボード又は白板の設置を可能とするガイドレールを提供する。【解決手段】コの字型を形成した補強材嵌め込み部の前面中央に、使用するローラーなどの駆動部に適合するレール部４を備え、レール部の上下に適宜間隔を設けた取付部５を備えたガイドレール１とガイドレールの補強材嵌め込み部の上面に適宜大きさのＬ型のブラインド部６を備えたブラインド一体型ガイドレール２を、大型黒板又は白板１０の上方及び下方に適宜高さで水平に補強材９Ａ、９Ｂが取付けらており、上方の補強材にブラインド一体型ガイドレールを嵌め込み、下方の補強材にガイドレールを嵌め込み、取付部をビス１３などで固定する。【選択図】図２
2016210145.tif 000002
【特許請求の範囲】
【請求項１】
コの字型の補強材嵌め込み部の前面の中央部にレール部を備え、レール部の上方及び下方に適宜間隔を設けた取り付け部を備えたことを特徴とするガイドレール。
【請求項２】
前記補強材嵌め込み部の上面にブラインド部を備えたことを特徴とする請求項１記載のガイドレール。
【請求項３】
前記補強材嵌め込み部の下部に更にＣ型ガイドレールを設けたことを特徴とする請求項1乃至２のいずれかに記載のガイドレール。
【発明の詳細な説明】
【技術分野】
【０００１】
大型黒板又は白板の前面をプロジェクター一体型電子黒板ボード又は白板又はプロジェクターを左右方向に可動可能とするガイドレール及びブラインド一体型ガイドレールに関するものである。
【背景技術】
【０００２】
近年では、様々な型の電子黒板が教室に導入され、プロジェクターとパソコンを繋ぎ、プロジェクター一体型電子黒板ボード又は白板や近年では大型黒板又は白板に映写して行う授業は、生徒の理解力向上に繋がる授業手段として知られている。
【０００３】
しかし、プロジェクターを従来の壁掛けや天吊りといった設置方法では、一ヶ所にしか映写できないため、大型黒板又は白板への板書と映写画面との併用は困難であった。
【０００４】
そこで、特許文献１で提案されている大型黒板又は白板の上部及び下部から適宜間隔を空けて補強材を取付け、前記補強材の前面にＣ型ガイドレールを取付け、駆動部を備えたプロジェクター一体型電子黒板ボード又は白板をＣ型ガイドレールに挿入することで、大型黒板又は白板の前面をＣ型ガイドレールに沿って左右に可動する設置方法が普及している。そのため、大型黒板又は白板への板書時は、大型黒板又は白板の一方の端側又は大型黒板又は白板の外側に移動させることで大型黒板又は白板の全面を板書に使用でき、映写画面を使用したい時は、大型黒板又は白板の中央など生徒が見やすい位置にプロジェクター一体型電子黒板ボード又は白板を可動することができ、板書を消す必要もないため、板書と映写の両立が可能となっており、生徒の理解力向上と効率のよい授業を行うことができる。
【０００５】
また、近年では、電子黒板機能付プロジェクターが普及しており、特許文献２で提案されているような大型黒板又は白板の上部に取付けられた複数のＣ型ガイドレールに沿って左右に可動が可能となり、板書と映写の両立が可能な電子黒板機能付プロジェクターの設置方法として知られている。
【０００６】
様々な型の電子黒板が提案されており、板書と映写の両立が可能である電子黒板が左右に可動できる設置を、より迅速且つ安価に設置できる事が求められている。
【０００７】
そこで常に問題となるのが、プロジェクターの電源とプロジェクターとパソコンを接続する複数の配線である。プロジェクター一体型電子黒板又は白板の移動方向に応じて、配線も追従して可動する必要がある。簡易な方法として、可動域に応じた長さの配線をプロジェクター一体型電子黒板ボード又は白板の裏面に垂らす方法があるが、配線の絡まりやフックなどの突起物に引っかかるなど、プロジェクター一体型電子黒板ボード又は白板の可動の妨げとなり、更に配線の断線の恐れがある。
【０００８】
そこで、複数の配線を配線チューブなどで１本になるように結束し、カーテンレールを大型黒板又は白板の下方に取付けられた補強材に取付け、複数のフックに結束した配線を掛け、波状にぶら下げた配線処理の場合、配線の可動は可能となるが、足や備品などに引っ掛かる恐れがあり、断線の恐れがある。
【０００９】
また、ワイヤーなどを天井に設置し、同様に結束した配線を、波状に垂らす配線処理の場合、配線の可動は可能となるが、プロジェクター一体型電子黒板ボード又は白板設置後の別工事となる事例があり、工期が長くなる要因となるため、コストアップに繋がっていた。更にどちらの配線処理方法も結束した配線が露出しているため、美観を損ねる問題があった。
【００１０】
そこで、キャタピラのように可動するケーブルキャリアに複数の配線を収納し、大型黒板又は白板の上方に設置された補強材にブラインドカバーを取付け、ブラインドカバー上をプロジェクター一体型電子黒板ボード又は白板の可動にあわせてケーブルキャリアが追従する配線処理を行うことで、配線の絡まりや引っ掛かりを防止し、ブラインドカバーによって、ケーブルキャリアの露出を抑えることができるため、美観を損ねることが無い。また、ケーブルキャリアは、倒した状態又は立てた状態でも使用できるため、設置環境に合わせた配線処理が可能となる。
【００１１】
しかし、ケーブルキャリアによる配線処理を導入することで、工場及び現場でのブラインドカバーの加工や取付けなどの作業が増加することになり、また、部品点数の増加となるため梱包や搬入の手間、現場での梱包材や残材の増加などコストアップの要因となっている。
【００１２】
使用するＣ型ガイドレールの切断や、Ｃ型ガイドレールの内側からビスで固定するための皿取り作業を行うと、Ｃ型ガイドレールの内側に切削屑などが付着するため、その都度切削屑の掃除を行う必要があるが、Ｃ型ガイドレールの開口部は非常に狭く、掃除機や刷毛などの掃除用具が入らないため、手間が掛かる。更にビスなどでの固定時にも切削屑が発生するため、Ｃ型ガイドレール取付け後にも掃除を再度行う必要があり、更に目視での切削屑の確認が困難となるため、切削屑の取り残しが無いようにＣ型ガイドレール内部を隅々まで綿密な掃除を行う必要があり、時間と手間がかかる。
【００１３】
しかし、掃除で除去出来なかった切削屑がＣ型ガイドレール内側に残った場合、残った切削屑がローラーなどの駆動部に付着し、異音の発生原因となり、更にはプロジェクター一体型電子黒板ボード又は白板又はプロジェクターのスムーズな可動を妨げる原因となっている。駆動部に付着した切削屑の除去は、Ｃ型ガイドレールに駆動部を挿入した状態では困難である。
【００１４】
Ｃ型ガイドレールと壁の間に補強材をいれることで、より強固な取付を行っているが、Ｃ型ガイドレール及び壁面との接地面以外は見えるため、補強材に、塗装を行う必要があり、綺麗な仕上がりには、塗布作業、乾燥を繰り返し行う必要があり、効率が悪く、また、塗布場所及び乾燥場所が必要となるため、作業スペースを広く確保する必要があり、その他の作業に支障をきたす場合がある。
【００１５】
補強材は、木材であるため美観を損ねるような、節やわれ、反りなどがある場合がある。
【先行技術文献】
【特許文献】
【００１６】
【特許文献１】特許第5436616号
【特許文献２】特開2014-48306
【発明の概要】
【発明が解決しようとする課題】
【００１７】
よりシンプルな部品構成で、迅速且つ低コスト且つ教室の美観を損ねることなく、プロジェクター一体型電子黒板ボード又は白板又はプロジェクターの設置を可能とするガイドレールを提供することを課題とする。
【００１８】
Ｃ型ガイドレール内側への加工や取付け作業で発生する切削屑が、異音の発生原因やプロジェクター一体型電子黒板ボード又は白板又はプロジェクターのスムーズな可動の妨げの原因となっている。
【００１９】
Ｃ型ガイドレールは、教室の端から端までと長く、Ｃ型ガイドレールの開口部は狭いため、掃除機などの掃除用具が入らず、また、目視での切削屑の有無の確認が困難であるため、隅々まで行き届いた綿密な掃除には時間が掛かる。
【００２０】
また、Ｃ型ガイドレールに挿入した駆動部に切削屑が付着した場合、Ｃ型ガイドレールに挿入した状態で切削屑の除去は困難であるため、Ｃ型ガイドレールから駆動部を抜く必要があるなど、更に時間と手間がかかる。
【００２１】
ブラインドカバーが増えたことにより、工場での加工作業が増加し、また、部品点数の増加による梱包や搬入の手間、また、梱包材や残材の増加による費用がコストアップに繋がっている。
【００２２】
Ｃ型ガイドレールとブラインドカバーは、同じ長さで取付けを完了する必要があるが、別部材であり、元々の長さも異なるため、個々に必要な長さの計測、切断、取付けを行うため、手間がかかる。
【００２３】
補強材の塗装は、塗装と乾燥を繰り返し行うが必要があるため、作業スペースの確保と時間が掛かるため、効率が悪い。
【００２４】
現場での作業が増加するため、限られた工期内で作業を完了するために、残業や作業人員を増やすなど対応する必要があるため、コストアップに繋がる。
【課題を解決するための手段】
【００２５】
コの字型を形成した補強材嵌め込み部の前面中央に、使用するローラーなどの駆動部に適合するＣ型のレール部を備え、レール部の上方及び下方に適宜間隔を設けた取付部を備えたことを特徴とするガイドレールである。
【００２６】
前記ガイドレールの補強材嵌め込み部の上面にＬ型のブラインド部を備えたことを特徴とするブラインド一体型ガイドレールである。
【００２７】
前記補強材嵌め込み部の下部にＣ型ガイドレールを取付けたことを特徴とする前記ガイドレール又はブラインド一体型ガイドレールである。
【００２８】
大型黒板又は白板から適宜間隔を空けた上方及び下方の壁面に補強材嵌め込み部と同サイズ且つ任意の長さの補強材を水平に取り付け、上方の補強材にブラインド一体型レールの補強材嵌め込み部を嵌め込み、下方の補強材にガイドレールの補強材嵌め込み部を嵌め込み、上方及び下方の取付け部からビスなどで固定する。
【発明の効果】
【００２９】
ガイドレール内側への加工及び取付け作業が不要なため、レール内側への切削屑の発生を防止でき、レール内側の掃除も取付前に行えるため、比較的作業を行えるため、短時間で掃除を完了することが出来、ローラーなどの駆動部への付着の防止に繋がる。
【００３０】
ブラインドカバーが不要となるため、部品点数が少なくなり、また、工場での加工、梱包が不要となるため、工場での作業時間を大幅に短縮できるため、コスト削減となる。また、梱包材や残材の削減となり、エコに繋がる。
【００３１】
補強材の塗装が不要となるため、工場での作業時間を更に削減できる。また、塗装スペースの確保が必要なくなるため、限られた作業スペースを有効に活用できる。また、補強材の節や割れ、塗装仕上がり具合などを気にする必要がないため、取付け作業を効率よく行うことが出来、美観を損ねることも無い。
【００３２】
ガイドレールとブラインドカバーが一体となるので、必要な長さの実測、切断、取付けを同時に行えるため、作業効率が向上する。
【図面の簡単な説明】
【００３３】
【図１】本発明によるガイドレール及びブラインド一体型ガイドレールによるプロジェクター一体型電子黒板ボード及びホワイトボードの設置例を示す正面図である。
【図２】本発明による設置例を示す側面断面図である。
【図３】本発明によるブラインド一体型ガイドレールの他の構成例及びプロジェクターの設置例を示す正面図である。
【図４】本発明によるガイドレールの側面図である。
【図５】本発明によるガイドレールの正面図である。
【図６】本発明によるブラインド一体型ガイドレールの側面図である。
【図７】本発明によるブラインド一体型ガイドレールの正面図である。
【図８】ブラインド一体型ガイドレールの他の構成例を示す側面図である。
【図９】ブラインド一体型ガイドレールの他の構成例を示す正面図である。
【図１０】ブラインド一体型ガイドレールの更に他の構成例を示す側面図である。
【図１１】図１０で示すブラインド一体型ガイドレールによる設置例を示す側面断面図である。
【図１２】Ｃ型ガイドレールの側面図である。
【発明を実施するための形態】
【００３４】
上記課題を解決するための本発明は、壁面固定型の大型黒板又白板１０の前面に左右に可動を可能とするプロジェクター一体型電子黒板ボード又は白板１２を設置するのに必要なガイドレール１及びブラインド一体型ガイドレール２である。
【００３５】
コの字型を形成した補強材嵌め込み部３の前面中央に、使用するローラーなどの駆動部に適合するレール部４を備え、前記レール部４の上方及び下方に適宜間隔を設けた取付部５を備えたガイドレール１である。
【００３６】
前記ガイドレール１の前記補強材嵌め込み部３の上面に適宜大きさのブラインド部６を備えたブラインド一体型ガイドレール２である。
【００３７】
図１で示す大型黒板又は白板１０の前面にプロジェクター一体型電子黒板ボード又はホワイトボード１２を左右に可動出来るように設置し、上方で配線処理する取付け例である。
【００３８】
大型黒板又はホワイトボード１０の上方及び下方の任意の高さに水平且つ任意の長さで補強材９Ａ及び９Ｂを固定する。前記補強材９Ａ及び９Ｂは、前記補強材嵌め込み部３と同径又は前記補強材嵌め込み部３より僅かに小さい大きさが望ましい。
【００３９】
前記ブラインド一体型ガイドレール２及び前記ガイドレール１の上方及び下方の前記取付け部５に適宜間隔を空けて複数の皿取りを行う。
【００４０】
上方に取付けた前記補強材９Ａに前記ブラインド一体型ガイドレール２を嵌め込み、下方に取付けられた前記補強材９Ｂに前記ガイドレール１を嵌め込み、前記取付部５に穿孔した皿取りを介してビス１３等で固定する。
【００４１】
前記レール部４の両端部及び前記補強材嵌め込み部３の両端部は、前記補強材９Ａ及び９Ｂが露出しないよう蓋などを取付け、前記補強材９Ａ及び９Ｂが露出しないようにすると良い。
【００４２】
取付けられた前記ガイドレール１及び前記ブラインド一体型ガイドレール２に駆動部を備えた既知の構成によるプロジェクター一体型電子黒板及びホワイトボード１２を設置することが出来る。
【００４３】
設置環境に応じて、前記ブラインド一体型ガイドレール２は、前記大型黒板又は白板１０の下方に取付けられた前記補強材９Ｂに取付けても良く、その場合、前記補強材９Ａには、前記ガイドレール１を取付ける。
【００４４】
図１１及び図１２で示す前記ブラインド一体型ガイドレール２の形状にする事で、ケーブルキャリア７を倒して設置及び可動が可能となるため、前記ケーブルキャリア７が露出することなく設置を行えるため、より美観を損ねない設置が可能となる。
【００４５】
この場合、図１３で示すように前記補強材嵌めこみ部３の上部及び下部から前記ビス１３での固定が可能となるため、前記ビス１３の露出を抑えることが出来、更に美観を損ねることが無い。
【００４６】
図８及び図９で示す前記ブラインド一体型ガイドレール２は前記大型黒板又は白板１０の上面に左右に可動可能なプロジェクター１１の設置に適した前記ブラインド一体型ガイドレール２の構成例である。
【００４７】
成型や溶接などで図８及び図９で示す形状に形成してもよいが、前記ブラインド一体型レール２とＣ型レール１５を工場又は現場で取付けを行うことでも構成可能である。
【００４８】
前記レール部４と同型の前記Ｃ型ガイドレール１５の内側に適宜間隔を空けて複数の皿取りを行う。
【００４９】
前記補強材９Ａに取付けられた前記ブラインド一体型ガイドレール２の前記補強材嵌め込み部３の下部に、前記Ｃ型ガイドレール１５を皿取りを介して前記ビス１３等で取付ける。
【符号の説明】
【００５０】
１            ガイドレール
２            ブラインド一体型ガイドレール
３            補強材嵌め込み部
４            レール部
５            取付部
６            ブラインド部
７            ケーブルキャリア
８            壁面
９Ａ、９Ｂ    補強材
１０          大型黒板又は白板
１１          プロジェクター
１２          プロジェクター一体型電子黒板ボード又は及び白板
１３          ビス
１４          下方にレール部を設けたブラインド一体型ガイドレール
１５          Ｃ型ガイドレール
【図１】
2016210145.tif 000003
【図２】
2016210145.tif 000004
【図３】
2016210145.tif 000005
【図４】
2016210145.tif 000006
【図５】
2016210145.tif 000007
【図６】
2016210145.tif 000008
【図７】
2016210145.tif 000009
【図８】
2016210145.tif 000010
【図９】
2016210145.tif 000011
【図１０】
2016210145.tif 000012
【図１１】
2016210145.tif 000013
【図１２】
2016210145.tif 000014